(57)【要約】【課題】地熱水を利用して発電するバイナリー発電において、発電装置の配管や蒸発器の内面側にスケールを析出・付着させないようにする。【解決手段】地熱水等の熱源水と、該熱源水と比重が異なる疎水性液体とを接触させ、熱源水が保有している熱を疎水性液体に液対液で直接的に伝導させ、熱源水から熱を伝導させられた該疎水性液体をバイナリー発電装置の蒸発器に送って該蒸発器を加熱し、バイナリー発電装置に発電させる。熱源水と疎水性液体とが熱交換した時に熱源水から析出したスケールは分離除去装置で分離除去して処分する。【選択図】図１
2019196854.tif 000002
【特許請求の範囲】
【請求項１】
熱源水と熱媒体とを接触させて該熱源水の熱を該熱媒体に伝導させる一次熱交換部と、該一次熱交換部の底部又は上部に溜まっている該熱媒体を二次熱交換部の一次側に送給する熱媒体送給部と、該二次熱交換部の一次側を通過した該熱媒体を該一次熱交換部に戻す熱媒体戻し部と、該一次熱交換部内に生成したスケールを除去するスケール分離除去部とを備え、該熱媒体は該熱源水と比重の異なる疎水性液体からなり、該熱媒体送給部は、該一次熱交換部の底部に溜まっている該熱媒体を該二次熱交換部の一次側の入口に導く熱媒体供給配管と、該熱媒体供給配管内の該熱媒体を該二次熱交換部の一次側に送るポンプとからなり、該熱媒体戻し部は、該二次熱交換部の一次側の出口から排出された該熱媒体を送給する熱媒体戻り配管と、該熱媒体戻り配管によって送給された該熱媒体を該一次熱交換部内に投入する熱媒体投入部とからなることを特徴とするスケール対策が施された熱交換装置。
【請求項２】
前記一次熱交換部はタンク状の容器からなり、該一次熱交換部は、前記熱源水を流入させる熱源水流入口と、該熱源水を排出させる熱源水排出口と、前記熱媒体を抜き取る熱媒体抜き取り口とを有し、該熱源水流入口及び熱源水排出口は該熱媒体と接しない位置にあり、該熱源水排出口は該熱源水流入口より上の高さ位置にあり、該熱媒体抜き取り口は該熱媒体が溜まっている範囲内の高さ位置にあることを特徴とする請求項１に記載の熱交換装置。
【請求項３】
前記疎水性液体がパーフルオロカーボン（ＰＦＣ）構造を持つフッ素系不活性液体であることを特徴とする請求項１に記載の熱交換装置。
【請求項４】
前記疎水性液体がヘキサンであることを特徴とする請求項１に記載の熱交換装置。
【請求項５】
前記熱媒体投入部は前記熱媒体を前記一次熱交換部の中に投入する噴出口を有し、該噴出口は該一次熱交換部内の前記熱源水と接しない位置にあることを特徴とする請求項１に記載の熱交換装置。
【請求項６】
前記熱媒体投入部の噴出口が前記一次熱交換部の内壁に向けられていることを特徴とする請求項１に記載の熱交換装置。
【請求項７】
前記一次熱交換部の内部に液膜形成用板が立設され、前記熱媒体投入部の噴出口が該液膜形成用板に向けられていることを特徴とする請求項１に記載の熱交換装置。
【請求項８】
前記一次熱交換部が気水分離器を兼ねていることを特徴とする請求項１に記載の熱交換装置。
【請求項９】
前記スケール分離除去部が、前記一次熱交換部の底部又は上部に溜まっている前記熱媒体と熱源水との境界に滞留したスケールを前記熱源水とともに取り出す取出口と、該取出口から取り出された該スケール及び該熱源水から該スケールを沈殿又は浮上させる分離槽と、該分離槽で分離したスケールを該分離槽から排出させる排出口とを備え、該取出口は該一次熱交換部の側部で、該一次熱交換部内の該熱源水の底部又は上部の該熱媒体との境界付近の高さ位置に設けられていることを特徴とする請求項１に記載の熱交換装置。
【請求項１０】
前記スケール分離除去部が、前記一次熱交換器内で前記熱源水から析出したスケールを捉える網体と、該網体上のスケールを該熱源水とともに取り出す取出口と、該取出口から取り出された該スケール及び該熱源水から該スケールを沈殿させる沈殿槽と、該沈殿槽で沈殿したスケールを該沈殿槽から排出させる排出口とを備え、該網体は該一次熱交換部内の該熱源水の底部の前記熱媒体との境界付近の高さ位置に略水平に設けられ、該取出口は該一次熱交換部の側部で、該一次熱交換部内の該熱源水の底部の該熱媒体との境界付近の高さ位置に設けられていることを特徴とする請求項１に記載の熱交換装置。
【請求項１１】
前記スケール分離除去部が、前記一次熱交換部の底部又は上部に溜まっている前記熱媒体と熱源水との境界に滞留したスケールを該熱源水及び該熱媒体とともに取り出す取出口と、該取出口から取り出した該スケール、該熱源水及び該熱媒体からスケールを分離する網籠体と、該網籠体を通った該熱源水及び該熱媒体を溜める分離槽とを備え、該取出口は該一次熱交換部の側部で、該一次熱交換部内の該熱源水の底部又は上部の該熱媒体との境界付近の高さ位置に設けられ、該網籠体は該分離槽内に入れ籠状に設けられていることを特徴とする請求項１に記載の熱交換装置。
【請求項１２】
前記スケール分離除去部が網籠体からなり、該網籠体は前記一次熱交換部内に入れ籠状に入れられていることを特徴とする請求項１に記載の熱交換装置。
【請求項１３】
前記スケール分離除去部が、前記一次熱交換部の底部又は上部に溜まっている前記熱媒体と熱源水との境界に滞留したスケールを熱源水とともに抜き取る抜取配管と、抜取配管内を通過する熱源水からスケールをトラップするフィルターと、該フィルターを通った熱源水を熱交換部に戻す戻し配管と、該抜取配管内の熱源水を戻し配管を介して熱交換部に送るポンプとを備え、該抜取配管と該戻し配管は、該一次熱交換部の側部で、該一次熱交換部内の該熱源水の底部の該熱媒体との境界付近の高さ位置に取り付けられていることを特徴とする請求項１に記載の熱交換装置。
【発明の詳細な説明】
【技術分野】
【０００１】
本発明は、地熱発電の生産井から得られた熱水や温泉水をバイナリー発電に利用できるようにするためのスケール対策が施された熱交換装置に関するものである。
【背景技術】
【０００２】
現状の大規模地熱発電や温泉バイナリー発電では、蒸気のみが発電に利用され、それ以外の大量の熱水は、スケールの問題があるため、発電に利用されることなく捨てられていることが多い。
【０００３】
また、日本の温泉において、温泉水は浴場で利用されているが、浴場で利用された後の温泉水はほとんどがそのまま捨てられている。日本は温泉大国であり、そのまま捨てられている温泉水の量はトータルとしてかなりの量になるものと思われる。
【０００４】
もし、発電に利用されずに捨てられている大量の熱水や、温泉で捨てられている温泉水を発電に利用することができれば、かなりの発電量が得られるはずである。
【０００５】
バイナリー発電は、１００℃以下の熱源で低沸点の媒体を加熱・蒸発させ、その蒸気でタービンを回すことができる発電方法なので、発電に利用されずに捨てられている大量の熱水や、温泉で捨てられている温泉水の熱を利用して発電する方法として、適した発電方法である。
【０００６】
しかし、これらの熱水や温泉水を発電に利用したバイナリー発電が実際に稼働している例はあまりない。これは熱水や温泉水から析出してくるスケールの問題が解決されていないからである。
【０００７】
すなわち、地中から出てくる熱水や温泉水（以下、単に「地熱水」という。）にはカルシウム、マグネシウム及びケイ素等のスケール成分が大量に溶け込んでおり、地熱水が地中から外に出て温度や圧力が下がると、地熱水に溶け込んでいたこれらのスケール成分がスケールとして大量に析出してくる。
【０００８】
地熱水の熱を利用してバイナリー発電をした場合、バイナリー発電装置に供給された地熱水は配管や蒸発器の内部に入った段階でその温度や圧力が下がり、地熱水に溶け込んでいたスケール成分がスケールとして配管や蒸発器の内面に大量に析出・付着し、配管や蒸発器の内部をスケールで狭隘にし、地熱水が配管や蒸発器の中で流れ難くなり、発電能力が短期間に低下してしまう。
【０００９】
発電能力が短期間に低下してしまわないためには、バイナリー発電装置の配管や蒸発器の内部をこまめに清掃して、配管や蒸発器の内面に付着したスケールを除去しなければならない。場合によっては、配管や蒸発器を定期的に交換しなければならない。
【００１０】
しかし、バイナリー発電装置の配管や蒸発器をこのように頻繁にメンテナンスするためにはかなりの費用がかかり、発電事業の採算を取ることが難しくなる。しかも、配管や蒸発器のメンテナンスを頻繁に行うためには、発電を頻繁に止めなければならないが、そのようにすると電力が安定的に得られなくなってしまう。
【００１１】
このような諸問題が地熱水を利用して発電する温泉バイナリー発電を導入する際のネックになっている。
【００１２】
しかし、これらのスケールの問題を解決して、地熱水を温泉バイナリー発電の熱源として利用することができれば、発電に利用されずに捨てられている地熱水は大量に有るわけであるから、かなりの量の電力を得ることができるはずである。
【００１３】
そこで、本発明者等はかかる諸問題について鋭意研究し、本発明をなすに至った。
【先行技術文献】
【特許文献】
【００１４】
【特許文献１】特開平６−１０９３４３号公報
【特許文献２】特開平５−１８４００号公報
【特許文献３】特開平８−８２４９０号公報
【非特許文献】
【００１５】
【非特許文献１】後藤雅志、松倉紀行、萩原良道著「沈降する低温の不溶性液滴を含む温水流の速度場および温度場計測」日本機会学会熱工学コンファレンス講演論文集、Vol.2003，Page.131-132，2003年11月10日発行
【非特許文献２】稲葉英男、堀部明彦、尾崎公一、横山直樹著「非水溶性熱媒体による低温熱源水からの直接接触熱交換」日本機会学会創立100周年記念中国四国支部記念式典・講演会講演論文集、Page.97-98，1997年発行
【発明の概要】
【発明が解決しようとする課題】
【００１６】
本発明が解決しようとする課題は、地熱水を利用して発電するバイナリー発電において、発電装置の配管や蒸発器の内面にスケールを析出・付着させないようにする点である。
【課題を解決するための手段】
【００１７】
本発明はスケール対策が施された熱交換装置に関するものであり、地熱水等の熱源水に含まれているスケール成分をバイナリー発電装置の配管や蒸発器の内面側に付着させないようにするため、熱源水と比重が異なり（高比重又は低比重）、疎水性の液体（異比重・疎水性液体）とを液対液で接触させ、熱源水が保有している熱を異比重・疎水性液体に直接的に伝導させ、熱源水から熱を伝導させられたこの異比重・疎水性液体のみをバイナリー発電装置の蒸発器等の二次熱交換部に送って該蒸発器を加熱し、バイナリー発電装置に発電させることを最も主要な特徴とする。
【００１８】
すなわち、本発明に係る熱交換装置は、熱源水と熱媒体とを接触させて該熱源水の熱を該熱媒体に伝導させる一次熱交換部と、該一次熱交換部の底部又は上部に溜まっている該熱媒体をバイナリー発電装置の蒸発器等の二次熱交換部の一次側に送給する熱媒体送給部と、該二次熱交換部の一次側を通過した該熱媒体を該一次熱交換部に戻す熱媒体戻し部と、該一次熱交換部内に生成したスケールを分離・除去するスケール分離除去部とを備えている。
【００１９】
ここで、熱源水は地中から出て来た熱水や温泉水等の地熱水で、何らかの用途に使用されたか否かを問わない。熱媒体は熱源水より比重の大きい、又は小さい疎水性液体からなる。熱源水より比重の大きい疎水性液体としては、例えばパーフルオロカーボン(PFC)構造を持つフッ素系不活性液体、比重の小さい疎水性液体としてはヘキサンを例に挙げることができるが、熱源水と比重が異なり疎水性の液体であれば、これ以外の化合物を使用してもよい。
【００２０】
熱媒体送給部は、一次熱交換部の底部又は上部に溜まっている熱媒体を二次熱交換部の一次側の入口に導く熱媒体供給配管と、熱媒体供給配管内の熱媒体を二次熱交換部の一次側に送るポンプとからなる。熱媒体戻し部は、二次熱交換部の一次側の出口から排出された熱媒体を送給する熱媒体戻り配管と、熱媒体戻り配管によって送給された熱媒体を一次熱交換部内に投入する熱媒体投入部とからなる。
【００２１】
一次熱交換部としてはタンク状の容器を用いることができる。一次熱交換部は、熱源水を流入させる熱源水流入部と、熱源水を排出させる熱源水排出部と、熱媒体を抜き取る熱媒体抜き取り部とを有する。熱源水流入部及び熱源水排出口の位置は熱媒体と接しない高さが好ましい。熱源水排出部の位置は熱源水流入部より上の高さが好ましい。熱媒体抜き取り部の位置は熱媒体が溜まっている範囲内の高さでなければならない。
【００２２】
熱媒体投入部は熱媒体を熱交換部の中に投入する噴出口を有している。噴出口は、熱源水に触れる状態で設けてもよいが、噴出口へのスケールの付着を防止するため、熱源水に触れない位置に設けるのが好ましい。噴出口を熱源水に触れる状態で設ける場合は、噴出口へのスケールの付着を防止するため、噴出口から噴射される熱媒体の噴射速度を速くする必要がある。
【００２３】
熱媒体投入部の噴出口の一部は熱交換部の内壁に向けて設け、熱交換部の内壁が熱媒体で覆われるようにするのが好ましい。熱交換部の内壁が熱媒体で覆われると、熱交換部の内壁にスケールが付着するのが防止されるからである。
【００２４】
熱交換部の内部に液膜形成用板を立設し、熱媒体投入部の噴出口を液膜形成用板に向けて設け、液膜形成用板の上に熱媒体の液膜を形成させ、この液膜と熱源水とで熱交換をさせるようにしてもよい。また、熱交換部と気水分離器とを兼用にしてもよい。
【００２５】
スケール分離除去部は、種々の態様のものが考えられるが、例えば、高比重・疎水性液体による熱交換装置において、一次熱交換部の底部に溜まっている熱媒体の上に沈積したスケールを熱源水とともに取り出す取出口と、取出口から取り出されたスケール及び熱源水からスケールを沈殿させる沈殿槽と、沈殿槽で沈殿したスケールを沈殿槽から排出させる排出口とを備えていて、取出口が熱交換部の側部で、熱交換部内の熱源水の底部の熱媒体との境界付近の高さ位置に設けられているものでもよい。
【００２６】
また、スケール分離除去部は、熱交換部内の熱源水の底部の熱媒体との境界付近の高さ位置に略水平に設けられた網体と、網体上のスケールを熱源水とともに取り出す取出口と、取出口から取り出されたスケール及び熱源水からスケールを沈殿させる沈殿槽と、沈殿槽で沈殿したスケールを沈殿槽から排出させる排出口とを備えていて、取出口が熱交換部の側部で、該熱交換部内の該熱源水の底部の該熱媒体との境界付近の高さ位置に設けられているもの（図４参照）でもよい。
【００２７】
また、スケール分離除去部は、熱交換部の底部に溜まっている熱媒体の上に沈積したスケールを熱源水及び熱媒体とともに取り出す取出口と、取出口から取り出したスケール、熱源水及び熱媒体からスケールを分離する網籠体と、網籠体を通った熱源水及び熱媒体を溜める分離槽とを備え、取出口は熱交換部の側部で、熱交換部内の熱源水の底部の熱媒体との境界付近の高さ位置に設けられ、網籠体は分離槽内に入れ籠状に設けられているもの（図５参照）でもよい。
【００２８】
また、スケール分離除去部は、網籠体からなり、網籠体が熱交換部内に入れ籠状に入れられているもの（図６参照）でもよい。
【００２９】
また、スケール分離除去部は、熱交換部の底部に溜まっている熱媒体の上に沈積したスケールを熱源水とともに抜き取る抜取配管と、抜取配管内を通過する熱源水からスケールをトラップするフィルターと、フィルターを通った熱源水を熱交換部に戻す配管と、抜取配管内の熱源水を戻し配管を介して熱交換部に送るポンプとを備え、抜取配管と戻し配管は、熱交換部の側部で、熱交換部内の熱源水の底部の熱媒体との境界付近の高さ位置に取り付けられているもの（図７参照）でもよい。
【発明の効果】
【００３０】
本発明は、熱源水と熱交換した熱媒体をバイナリー発電装置の配管や蒸発器等の二次熱交換部に送って発電しており、熱源水を直接、二次熱交換部に送らないので、熱源水からスケールが析出してバイナリー発電装置の配管や蒸発器等の二次熱交換部の内側に付着することがなくなり、析出・付着したスケールを清掃・除去しなくて済み、従って、スケールの清掃・除去に係る費用を削減できるという効果がある。
【００３１】
また、本発明は、熱源水と熱交換した熱媒体をバイナリー発電装置の配管や蒸発器等の二次熱交換部に送って発電しており、熱源水を直接二次熱交換部に送らないので、熱源水からスケールが析出してバイナリー発電装置の配管や蒸発器等の二次熱交換部の内側に付着することがなくなり、析出・付着したスケールを清掃・除去しなくて済み、スケールの清掃・除去のために発電装置を頻繁に停止させなくて済み、従って、熱源水を利用したバイナリー発電で電力を安定的に得ることができるという効果がある。
【００３２】
また、本発明は、熱交換部で熱源水からスケールを析出させ、熱交換部で析出したスケールをスケール分離除去部で除去させるので、発電に使用した後の熱源水はスケールが析出し難いものとなっており、発電に使用した後の熱源水を河川に排出しても熱源水からスケールが殆ど析出せず、従って、発電に使用した後の熱源水を河川に排出しても、河川をスケールで汚さないという効果がある。
【００３３】
また、本発明は、熱交換部で熱源水からスケールを析出させ、熱交換部で析出したスケールをスケール分離除去部で除去させるので、発電に使用した後の熱源水はスケールを析出・除去させたものとなり、この熱源水を還元井に戻した場合、熱源水からスケールが析出し難く、還元井がスケールにより目詰まりを生じるようなことがなく、従って、発電に使用した後の熱源水を地中に還元し続けることができるという効果がある。
【００３４】
また、本発明は、熱源水と熱交換した熱媒体をバイナリー発電装置の配管や蒸発器に送って発電しており、スケール対策として熱源水に薬品を添加していないので、発電に使用した後の熱源水を河川に排出したり、地中に還元させても、河川や地中を薬品で汚染させないで済むという効果がある。
【図面の簡単な説明】
【００３５】
【図１】図１は本発明に係る熱交換装置を組み込んだバイナリー発電システム全体の構成を示す説明図である。
【図２】図２は本発明に係る熱交換装置の熱交換部の一例の説明図である。
【図３】図３は本発明に係る熱交換装置の熱交換部の他の例の説明図である。
【図４】図４は本発明に係る熱交換装置のスケール分離除去部の例１を示す説明図である。
【図５】図５は本発明に係る熱交換装置のスケール分離除去部の例２を示す説明図である。
【図６】図６は本発明に係る熱交換装置のスケール分離除去部の例３を示す説明図である。
【図７】図７は本発明に係る熱交換装置のスケール分離除去部の例４を示す説明図｛（ａ）は側方から見た図、（ｂ）は上方から見た図｝である。
【発明を実施するための形態】
【００３６】
熱源水から析出するスケールがバイナリー発電装置の配管や蒸発器等の熱交換器の内面に析出・付着しないようにするという目的を、簡単な構成で、河川や地中の環境を害することなく実現した。
【実施例１】
【００３７】
図１は本発明に係る熱交換装置を組み込んだバイナリー発電システム全体の構成を示す説明図、図２は本発明に係る熱交換装置の熱交換部の一例の説明図、図３は本発明に係る熱交換装置の熱交換部の他の例の説明図である。これらの図において、１０は地熱流体出口部であり、地熱流体出口部１０の下には地中の地熱流体の滞留部に向けて生産井（図示せず）が掘削・形成されている。地熱流体出口部１０からは地熱流体が噴出してくるようになっている。
【００３８】
１２は地熱流体を送給する気水分離器であり、気水分離器１２と地熱流体出口部１０とは地熱流体送給管１４により連結されている。地熱流体出口部１０から噴出してきた地熱流体は地熱流体送給管１４を介して気水分離器１２に送られ、気水分離器１２に送られてきた地熱流体は気水分離器１２で水蒸気１６と熱源水１８に気水分離されるようになっている。
【００３９】
２０は熱源水１８を別の熱媒体と熱交換させる熱交換装置である。すなわち、熱交換装置２０は気水分離器１２で分離・取得された熱源水１８と熱媒体２４とを熱交換させるものである。気水分離器１２と熱交換装置２０との間には気水分離器１２から熱交換装置２０に熱源水１８を送る熱源水送給管２２が配設されている。
【００４０】
熱交換装置２０は、熱源水１８と熱媒体２４とを接触させて熱源水１８の熱を熱媒体２４に伝導させる一次熱交換部２６と、一次熱交換部２６の底部に溜まっている熱媒体２４をバイナリー発電装置２８の蒸発器３０（二次熱交換部）の一次側に送給する熱媒体送給部３２と、蒸発器３０の一次側を通過した熱媒体２４を一次熱交換部２６に戻す熱媒体戻し部３４と、一次熱交換部２６の中で生成したスケールを除去するスケール分離除去部（詳細は実施例２以降で説明する）とからなる。
【００４１】
熱媒体２４はパーフルオロカーボン(PFC)構造を持つフッ素系不活性化合物からなる。このフッ素系不活性化合物は熱源水１８より比重が大きい疎水性の液体（重液）である。
【００４２】
熱媒体送給部３２は、一次熱交換部２６の底部に溜まっている熱媒体２４をバイナリー発電装置２８の蒸発器３０の一次側の入口に導く熱媒体送給管３６と、熱媒体送給管３６の中の熱媒体２４をバイナリー発電装置２８の蒸発器３０の一次側に送るポンプ３８とからなる。
【００４３】
熱媒体戻し部３４は、バイナリー発電装置２８の蒸発器３０の一次側の出口から排出された熱媒体２４を送給する熱媒体戻り管４０と、熱媒体戻し部３４によって送給された熱媒体２４を一次熱交換部２６の中に投入する熱媒体投入部４２とからなる。
【００４４】
一次熱交換部２６はタンク状の容器からなる。一次熱交換部２６は、熱源水１８を流入させる熱源水流入部４４と、熱源水１８を排出させる熱源水排出部４６と、熱媒体２４を抜き取る熱媒体抜き取り部４８と、熱源水１８をドレインまたは還元井（図示せず）に送る熱源水排出あるいは還元部５０を有する。
【００４５】
熱源水流入部４４は一次熱交換部２６の側部で熱媒体２４が溜まっている高さより上の位置にある。熱源水排出部４６は一次熱交換部２６の側部で熱源水流入部４４より上の高さ位置にある。熱媒体抜き取り部４８は一次熱交換部２６の側部で熱媒体２４が溜まっている高さより下の高さ位置にある。
【００４６】
熱媒体投入部４２は熱媒体２４を一次熱交換部２６の中に投入する噴出口を有している。噴出口は一次熱交換部２６内の熱源水１８の上面から離れた高さ位置にある。噴出口が熱源水１８の上面に触れていると、噴出口にスケールが析出・付着して、噴出口を詰まらせてしまうので、これを防止するためである。
【００４７】
熱媒体投入部４２の噴出口の一部は一次熱交換部２６の内壁に向けられ、内壁の表面に熱媒体２４の液膜が形成されるようになっている。一次熱交換部２６の内壁の表面に熱媒体２４の液膜が形成されると、内壁の表面にスケールが析出・付着するのを防止することができるからである。
【００４８】
次に、本発明に係る熱交換装置を組み込んだバイナリー発電システム全体の作動について説明する。
【００４９】
地中の地熱流体は大気圧より高い圧力を持っているので、地熱流体はこの圧力によって生産井から噴出してくる。生産井から噴出してきた地熱流体は地熱流体出口部１０から出てくる。地熱流体出口部１０から出てきた地熱流体は地熱流体送給管１４を通って気水分離器１２に送給される。気水分離器１２に送給された地熱流体は気水分離器１２で水蒸気１６と熱源水１８に分離される。
【００５０】
気水分離器１２で分離された熱源水１８は熱源水送給管２２を通って熱交換装置２０の一次熱交換部２６に送給される。一次熱交換部２６に送給された熱源水１８は一次熱交換部２６の中で滞留した後、熱源水還元部５０から排出される。滞留している熱源水１８の中を熱媒体２４が上方から液滴となって落下してくる。液滴となって落下してくる熱媒体２４は滞留している熱源水１８と熱交換して加熱される。加熱された熱媒体２４は一次熱交換部２６の底部に溜まる。
【００５１】
一次熱交換部２６の底部に溜まっている熱媒体２４は熱媒体送給管３６及びポンプ３８によってバイナリー発電装置２８の蒸発器３０の一次側の入口に送給される。蒸発器３０の一次側の入口に送給された熱媒体２４は蒸発器３０の二次側の低沸点化合物と熱交換し、二次側の低沸点化合物は加熱される。加熱された二次側の低沸点化合物は蒸発して蒸気となり、タービンを回転させ、発電機に発電させる。
【００５２】
蒸発器３０の一次側で低沸点化合物と熱交換して冷却された熱媒体２４は蒸発器３０の一次側の出口から熱媒体戻り管４０を通って熱媒体投入部４２に送られる。熱媒体投入部４２に送られた熱媒体２４は熱媒体投入部４２から一次熱交換部２６の中の熱源水中に投入される。熱源水中に投入された熱媒体２４は一次熱交換部２６の中の熱源水１８の中を落下する
【００５３】
上記実施例では、一次熱交換部２６の内部で滞留させている熱源水１８の中に熱媒体２４を液滴状態にして落下させ、熱源水１８と熱媒体２４とを熱交換させているが、図３に示すように、一次熱交換部２６の内部に液膜形成用板５２を立設させ、熱媒体投入部４２の噴出口を液膜形成用板５２に向け、液膜形成用板５２の表面に熱媒体２４の液膜を形成して熱交換させるようにしてもよいし、一次熱交換部２６の内部に液膜形成用管５３を立設させ、熱媒体投入部４２の噴出口を液膜形成用管５３に向け、液膜形成用管５３の表面に熱媒体２４の液膜を形成して熱交換させるようにしてもよい。
【実施例２】
【００５４】
図４は本発明に係る熱交換装置のスケール分離除去部の例１を示す説明図である。同図において、スケール分離除去部は、一次熱交換部２６の中の熱源水１８から析出したスケール５４を捉える網体５６と、網体５６の上のスケール５４を熱源水１８とともに取り出す取出部５８と、取出部５８から取り出されたスケール５４及び熱源水１８からスケール５４を沈殿させる沈殿槽６０と、沈殿槽６０の底に沈殿したスケール５４を沈殿槽６０から排出させる排出部６２とからなる。
【００５５】
網体５６は熱源水１８の中で、一次熱交換部２６の底部に溜まっている熱媒体２４の近くの高さ位置に、熱媒体２４を全面的に覆うように、略水平に設けられている。取出部５８は一次熱交換部２６の側部で、網体５６の直上の高さ位置に設けられている。
【００５６】
次に、このスケール分離除去部でスケール５４が分離・除去される作動について説明する。一次熱交換部２６において、熱源水１８が熱媒体２４によって熱を取られると、熱源水１８からスケール５４が析出する。熱源水１８から析出したスケール５４は沈降する。沈降したスケール５４は網体５６の上にトラップされる。
【００５７】
取出部５８のバルブを開けると、スケール５４が熱源水１８とともに一次熱交換部２６の外に排出される。排出されたスケール５４と熱源水１８は沈殿槽６０に入れられ、スケール５４は沈殿槽６０の底に沈殿する。排出部６２のバルブを開けるとスケール５４が少量の熱源水１８とともに排出される。排出されたスケール５４は適宜、処分する。
【実施例３】
【００５８】
図５は本発明に係る熱交換装置のスケール分離除去部の例２を示す説明図である。同図において、スケール分離除去部は、一次熱交換部２６の底部に溜まっている熱媒体２４の上に沈積したスケール５４を熱源水１８及び熱媒体２４とともに取り出す取出部６４と、取出部６４から取り出したスケール５４、熱源水１８及び熱媒体２４からスケール５４を分離する網籠体６６と、網籠体６６を通った熱源水１８及び熱媒体２４を溜める分離槽６８とからなる。
【００５９】
取出部６４は一次熱交換部２６の側部で、一次熱交換部２６の中の熱源水１８の底部の熱媒体２４との境界付近の高さ位置に設けられている。網籠体６６は分離槽６８の中に入れ籠状に入れられている。
【００６０】
次に、このスケール分離除去部でスケール５４が分離・除去される作動について説明する。熱交換部において、熱源水１８が熱媒体２４によって熱を取られると、熱源水１８からスケール５４が析出する。熱源水１８から析出したスケール５４は沈降する。沈降したスケール５４は、一次熱交換部２６の下方に溜まっている熱媒体２４の上に沈積する。
【００６１】
取出部６４のバルブを開けると、熱媒体２４の上に沈積しているスケール５４が熱媒体２４及び熱源水１８とともに一次熱交換部２６の外に排出される。排出されたスケール５４と熱媒体２４及び熱源水１８は分離槽６８に入れられる。分離槽６８には網籠体６６が入れ籠状に入れられているので、スケール５４は網籠体６６にトラップされる。
【００６２】
網籠体６６を上方に引き上げると、トラップされているスケール５４のみを分離槽６８から取り出すことができる。網籠体６６の中のスケール５４は網籠体６６から取り出し、適宜、処分する。
【実施例４】
【００６３】
図６は本発明に係る熱交換装置のスケール分離除去部の例３を示す説明図である。同図において、スケール分離除去部は網籠体７０からなり、網籠体７０は一次熱交換部２６の中に入れ籠状に入れられている。
【００６４】
次に、このスケール分離除去部でスケール５４が分離・除去される作動について説明する。一次熱交換部２６において、熱源水１８が熱媒体２４によって熱を取られると、熱源水１８からスケール５４が析出する。熱源水１８から析出したスケール５４は熱源水１８の中を沈降する。
【００６５】
沈降したスケール５４は、一次熱交換部２６の下方に溜まっている熱媒体２４の上に沈積する。メンテナンスの際に、網籠体７０を引き上げると、網籠体７０の底にスケール５４のみがトラップされるので、スケール５４のみを一次熱交換部２６から取り出すことができる。取り出されたスケール５４は網籠体７０から取り出し、適宜、処分する。
【実施例５】
【００６６】
図７は本発明に係る熱交換装置のスケール分離除去部の例４を示す説明図｛（ａ）は側方から見た図、（ｂ）は上方から見た図｝である。同図において、スケール分離除去部は、一次熱交換部２６の底部に溜まっている熱媒体２４の上に沈積したスケール５４を熱源水１８とともに抜き取る抜取配管７２と、抜取配管７２の中を通過する熱源水１８からスケール５４をトラップするフィルター７４と、フィルター７４を通った熱源水１８を一次熱交換部２６に戻す戻し配管７６と、抜取配管７２の中の熱源水１８を戻し配管７６を介して一次熱交換部２６に送るポンプ７８とからなる。
【００６７】
抜取配管７２と戻し配管７６は、一次熱交換部２６の側部で、一次熱交換部２６の中の熱源水１８と、底部に溜まっている熱媒体２４との境界付近の高さ位置に取り付けられている。
【００６８】
次に、このスケール分離除去部でスケール５４が分離・除去される作動について説明する。熱交換部２６において、熱源水１８が熱媒体２４によって熱を取られると、熱源水１８からスケール５４が析出する。熱源水１８から析出したスケール５４は沈降する。沈降したスケール５４は、一次熱交換部２６の下方に溜まっている熱媒体２４の上に沈積する。
【００６９】
抜取配管７２のバルブと戻し配管７６のバルブを開け、ポンプ７８を動かすと、熱媒体２４の上に沈積しているスケール５４が熱媒体２４及び熱源水１８とともに抜取配管７２に流れ込む。抜取配管７２に流れ込んだスケール５４と熱媒体２４及び熱源水１８の中で、スケール５４はフィルター７４にトラップされ、熱媒体２４及び熱源水１８はフィルター７４を通過し、ポンプ７８及び戻し配管７６を通って一次熱交換部２６の中に戻る。
【００７０】
メンテナンスをする際は、ポンプ７８を止め、フィルター７４を掃除してフィルター７４からスケール５４を取り除く。フィルター７４から取り除かれたスケール５４は適宜、処分する。
【産業上の利用可能性】
【００７１】
上記実施例では熱交換装置を温泉バイナリー発電の熱源に使用する場合について説明したが、本発明は温泉バイナリー発電の熱源に使用するという用途だけでなく、冷媒を加熱するタイプの冷却装置の熱源に使用するという用途にも適用できる。
また、上記実施例では熱源水より比重の大きい高比重・疎水性液体を使用する場合について説明したが、比重の小さい低比重・疎水性液体も適用できる。
【符号の説明】
【００７２】
１０  地熱流体出口部
１２  地熱流体送給管
１４  気水分離器
１６  水蒸気
１８  熱源水
２０  熱交換装置
２２  熱源水送給管
２４  熱媒体
２６  熱交換部
２８  バイナリー発電装置
３０  蒸発器
３２  熱媒体送給部
３４  熱媒体戻し部
３６  熱媒体送給管
３８  ポンプ
４０  熱媒体戻り管
４２  熱媒体投入部
４４  熱源水流入部
４６  熱源水排出部
４８  熱媒体抜き取り部
５０  熱源水還元部
５２  液膜形成用板
５４  スケール
５６  網体
５８  取出部
６０  沈殿槽
６２  排出部
６４  取出部
６６  網籠体
６８  分離槽
７０  網籠体
７２  抜取配管
７４  フィルター
７６  戻し配管
７８  ポンプ
【図１】
2019196854.tif 000003
【図２】
2019196854.tif 000004
【図３】
2019196854.tif 000005
【図４】
2019196854.tif 000006
【図５】
2019196854.tif 000007
【図６】
2019196854.tif 000008
【図７】
2019196854.tif 000009